(57)【要約】【課題】成形バネが破損した場合に備えた押しボタン回転防止構造として、単純な構造のインターホン用押しボタン回転防止構造を提供する。【解決手段】インターホン用の複数の円形押しボタン１のそれぞれを、基板３上に搭載されたスイッチ２を押下するために弾性力を付与させるとともに各円形押しボタンの方向性を維持するための成形バネ１３と一体的に構成し、円形押しボタンは、成形バネが破損したとき円形押しボタンが回転しないように円形押しボタンの回転軸線から偏倚した位置に配置されて円形押しボタンから突出し基板に穿設された固定孔３１に嵌合する回転防止リブ１１を有し、このリブは、スイッチがスイッチ動作後に円形押しボタンを必要以上に押下して破損するのを防止するストッパー１２を有する。【選択図】図１
2004288438.tif 000002
【特許請求の範囲】
【請求項１】
インターホン用の複数の円形押しボタン（１）のそれぞれを、基板（３）上に搭載されたスイッチ（２）を押下するために弾性力を付与させるとともに各前記円形押しボタンの方向性を維持するための成形バネ（１３）と一体的に構成し、前記円形押しボタンは、前記成形バネが破損したとき前記円形押しボタンが回転しないように前記円形押しボタンの回転軸線から偏倚した位置に配置されて前記円形押しボタンから突出し前記基板に穿設された固定孔（３１）に嵌合する回転防止リブ（１１）を有することを特徴とするインターホン用押しボタン回転防止構造。
【請求項２】
前記回転防止リブは、前記スイッチがスイッチ動作後に前記円形押しボタンを必要以上に押下して破損するのを防止するストッパー（１２）を有することを特徴とする請求項１記載のインターホン用押しボタン回転防止構造。
【発明の詳細な説明】
【０００１】
【発明の属する技術分野】
本発明は、インターホン用押しボタン回転防止構造に係わり、特に押しボタンの復帰に必要な成形バネが破損しても円形押しボタンの回転を防止可能なインターホン用押しボタン回転防止構造に関する。
【０００２】
【従来の技術】
従来、インターホン等の機器にはテンキーをはじめとして多数の円形押しボタン１が設けられている（図４参照）。そしてこの種のインターホン用押しボタン回転防止構造としては、図５に示すように、基板３の上にスイッチ２が固定され、スイッチ２を操作するための円形押しボタン１は円形押しボタン１が押した状態から戻るように弾性を有する成形バネ１３によって基板３に取りつけられ、過剰な押し込みを防止するため基板３の方向に延設されたストッパー１２と、成形バネ１３が破損した場合に円形押しボタン１が回転しないよう実質的に基板３と平行に延設されたフランジ１５とを有している。
【０００３】
円形押しボタン１は筐体４と組み合わされ、円形押しボタン１の頭部１ａは筐体４の穴４０から外にやや突出し、筐体４に固定された基板３上のスイッチ２に対向する位置にスイッチ２を動作させるリブ１６を有している。また、筐体４には円形押しボタン１のフランジ１５に当接して円形押しボタン１の回転を防止するリブ４１が設けられている。
【０００４】
次に、このような従来のインターホン用押しボタン回転防止構造における動作を説明する。
【０００５】
円形押しボタン１の頭部１ａを押すと、円形押しボタン１のリブ１６が押し下げられてスイッチ２が機能し、呼び出し等各種動作を行なう。
【０００６】
ストッパー１２は基板３の上にあたるため、円形押しボタン１の過剰な押し込みが防止されている。円形押しボタン１の頭部１ａの押圧を解除すると、成形バネ１３の弾性により円形押しボタン１は元の位置に復帰することができる。
【０００７】
円形押しボタン１の頻繁な使用によって、あるいは過剰な力が加わって成形バネ１３が破損した場合に、円形押しボタン１は回転して、円形押しボタン１のリブ１６がスイッチ２の直上から外れてしまうが、円形押しボタン１のフランジ１５と筐体のリブ４１の当接により、円形押しボタン１は回転することはなくなり、スイッチ２の動作不能が防がれている。
【０００８】
また、剛性のある材料で形成されボタントップと該ボタントップから突設された摺動軸とが一体に形成され支持部材に摺動軸の軸方向へ移動自在にかつボタントップ側への抜け止めが為された状態で支持された押しボタンと、ゴム弾性を有する材料で短い筒状をした挿通部と該挿通部より大径な環状をした着座部と挿通部と着座部との間を連結している連結部とが一体に形成されて成るパッキングとから成り、押しボタンの摺動軸がパッキングの挿通部に圧入状に挿通されると共に着座部が支持部材に圧接されている押しボタン構造で、押しボタンの安定したスムーズな動作と防水効果をねらった発明が提示されている（例えば、特許文献１参照）。
【０００９】
【特許文献１】特開平５−１５９６６２号公報  （請求項１、段落番号０００１）
【００１０】
【発明が解決しようとする課題】
しかしながら、上述の従来のインターホン用押しボタン回転防止構造は、成形バネ１３が破損した場合の押しボタンの回転防止のために、円形押しボタン１からその動作方向に直交する方向にフランジ１５が延設され、フランジ１５が当接するリブ４１筐体に設けられており、構造が複雑になるという難点があった。
【００１１】
例示文献の発明も、ボタントップ側への抜け止めが為された状態で支持された押しボタンと、ゴム弾性を有する材料で短い筒状をした挿通部と該挿通部より大径な環状をした着座部と挿通部と着座部との間を連結している連結部とが一体に形成されて成るパッキングとから成るため構造が複雑になるという難点を有している。
【００１２】
本発明は、これら従来の難点を解決するためになされたもので、押しボタンの成形バネが破損した場合に、押しボタンが回転してスイッチの直上から外れるのを防止する、シンプルな構造のインターホン用押しボタン回転防止構造を提供することを目的としている。
【００１３】
【課題を解決するための手段】
上記課題を解決するために、本発明によるインターホン用押しボタン回転防止構造は、インターホン用の複数の円形押しボタンのそれぞれを、基板上に搭載されたスイッチを押下するために弾性力を付与させるとともに各円形押しボタンの方向性を維持するための成形バネと一体的に構成し、円形押しボタンは、成形バネが破損したとき円形押しボタンが回転しないように円形押しボタンの回転軸線から偏倚した位置に配置されて円形押しボタンから突出し基板に穿設された固定孔に嵌合する回転防止リブを有するものである。
【００１４】
また、本発明によるインターホン用押しボタン回転防止構造においては、回転防止リブは、スイッチがスイッチ動作後に円形押しボタンを必要以上に押下して破損するのを防止するストッパーを有している。
【００１５】
このようなインターホン用押しボタン回転防止構造によれば、回転防止リブと破損防止ストッパーとを一体にするので単純な構造が可能になる。
【００１６】
【発明の実態の形態】
以下、本発明のインターホン用押しボタン回転防止構造の好ましい実施の形態例について図面を参照して詳述する。
【００１７】
本発明のインターホン用押しボタン回転防止構造は、図４に示すインターホンのテンキーをはじめとして、主に集合玄関機や居室親機などテンキーを有する機器に採用されるもので、多数設けられている円形押しボタン１、１、…には、「１」、「２」、…や、「Ａ」、「Ｂ」、…などが表示されている。
【００１８】
図１に示すように、本発明のインターホン用押しボタン回転防止構造は、インターホン用の複数の円形押しボタン１、１、…のそれぞれを、基板３上に搭載されたスイッチ２を押下するために弾性力を付与させるとともに各円形押しボタンの方向性を維持するための成形バネ１３と一体的に構成される。
【００１９】
円形押しボタン１は、成形バネ１３が破損したとき円形押しボタン１が回転しないように円形押しボタン１の回転軸線から偏倚した位置に配置されて円形押しボタン１から基板３方向に突出し基板３に穿設された固定孔３１に嵌合する回転防止リブ１１を有している。
【００２０】
円形押しボタン１は筐体４と組み合わされ、円形押しボタン１の頭部１ａは筐体４の穴４０から外にやや突出し、筐体４に固定されている基板３上のスイッチ２に対向する位置にスイッチ２を動作させるリブ１６を有している。
【００２１】
また、本発明のインターホン用押しボタン回転防止構造では、回転防止リブ１１は、スイッチ２がスイッチ動作後に円形押しボタン１を必要以上に押下して破損するのを防止するストッパー１２を有している。即ち、基板３に穿設された固定孔３１に嵌合する回転防止リブ１１の円形押しボタン寄りの基部は、固定孔３１の径より太い円柱あるいは角柱等の柱形のストッパー１２を構成し、回転防止リブ１１が固定孔３１に嵌合するときにストッパー１２は基板３に係止される構造である。
【００２２】
次に、このような本発明のインターホン用押しボタン回転防止構造における動作を説明する。
【００２３】
本発明のインターホン用押しボタン回転防止構造は、図２に背面から示すように、複数個の円形押しボタンを一括する形で設けられ、その上に、図３に示すように背面から基板２が設置される。基板２が所定の位置に固定されるとき、ストッパー１２と一体に構成されている回転防止リブ１１、１１、…は、基板の固定孔３１、３１、…に嵌合される。
【００２４】
図１、図４に示す円形押しボタン１の頭部１ａが押されると、円形押しボタン１のリブ１６が押し下げられてスイッチ２が機能し、呼び出し等各種動作を行なう。
【００２５】
このとき、ストッパー１２は基板３の表面に係止するため、円形押しボタン１の過剰な押し込みが防止される。
【００２６】
円形押しボタン１の頭部１ａの押圧が解除されると、成形バネ１３の弾性により円形押しボタン１は元の位置に復帰する。円形押しボタン１が復帰してストッパー１２が基板３の表面を離れても、ストッパー１２と一体的に構成された回転防止リブ１１は固定孔３１に嵌合している。
【００２７】
円形押しボタン１の頻繁な使用によって、あるいは過剰な力が加えられて成形バネ１３が破損した場合でも、回転防止リブ１１が固定孔３１に嵌合しているので、円形押しボタン１は回転しない。従って、基板３上のスイッチ２に対向する位置にありスイッチ２を動作させる円形押しボタン１のリブ１６がスイッチ２の直上から外れてしまうことはなく、円形押しボタン１に表示された数字やアルファベットが傾いたりすることもなく、スイッチ２の動作不能が防止される。
【００２８】
【発明の効果】
以上の説明から明らかなように、本発明による円形押しボタン回転防止構造によれば、インターホン等で円形押しボタンを有する機器において、円形押しボタンの回転防止リブとストッパーとを一体化したことでシンプルな構造が可能となる。
【図面の簡単な説明】
【図１】本発明による円形押しボタン回転防止構造を説明する部分拡大図である。
【図２】本発明による円形押しボタン回転防止構造の円形押しボタンを背面から見た図である。
【図３】本発明による円形押しボタン回転防止構造の基板を背面から見た図である。
【図４】円形押しボタンが採用されている機器の外観図である。
【図５】
従来の円形押しボタン回転防止構造の説明図である。
【符号の説明】
１…円形押しボタン
２…スイッチ
３…基板
１３…成形バネ
３１…固定孔
１１…回転防止リブ
１２…ストッパー
【図１】
2004288438.tif 000003
【図２】
2004288438.tif 000004
【図３】
2004288438.tif 000005
【図４】
2004288438.tif 000006
【図５】
2004288438.tif 000007